(57)【要約】      （修正有）【課題】ハウジングの装着孔へころ軸受を組み立てる際や、ハウジングの装着孔からころ軸受を取り外す際にも、ころが落下し難いころ軸受を提供する。【解決手段】外輪と複数の転動体としてのころ２３と内輪としての円筒３を有し、前記円筒は片端面側にフランジを有することを特徴とする。前記円筒のフランジの外周面の外径は、ハウジングに干渉しないように、外輪の外径より小さくなっていることが好ましい。また、前記円筒３の軸方向の幅寸法は、ころ２３が落下し難いように、ころ２３の軸方向の長さの半分以上の広さであることが好ましい。【選択図】図１
2013076420.tif 000002
【特許請求の範囲】
【請求項１】
外輪と複数の転動体と内輪としての円筒を有し、前記円筒は片端面側にフランジを有することを特徴とするころ軸受。
【発明の詳細な説明】
【技術分野】
【０００１】
本発明は、ころ軸受に関する。
【背景技術】
【０００２】
総ころ形ころ軸受や抜け止めの無い保持器を有するころ軸受で、内輪の無いタイプは、ころ軸受をハウジングに組み込んだり、ハウジングから取り外したりする際、図５の様に、ころ２３が落下し易い。
【０００３】
この部分の改善の先行技術としては、例えば引用文献１がある。引用文献１では、図６に示すように、針状ころ軸受Ｂ０は、ポケットが周方向等配状態に形成された筒状の保持器２０と、この保持器２０における各ポケット内に転動自在に嵌め込まれた複数の針状ころ２２のみから構成される、いわゆるケージアンドローラタイプとなっている。ころ脱落防止具Ａ１は、針状ころ２２群の内周部に密着する状態で内嵌されるフランジ付きの内筒２と、針状ころ２２群の外周部に密着する状態で外嵌されるフランジ付きの外筒４とをペアとして構成されている。また、図６に示すように、針状ころ軸受Ｂ０および内筒２を矢印Y１方向に打ち込んで装着孔２８ａに嵌合する。このとき、針状ころ２２群の外周部が装着孔２８ａの内周面に圧接されながら摺動する。
【０００４】
このとき、外筒４の軸方向一端面４ｂがコンロッド２８の側面２８ｂに当接して位置規制され、針状ころ軸受Ｂ０および内筒２との相対移動により外筒４は針状ころ軸受B０から自動的に抜き出されていく。しかし、その抜き出しの途中において、針状ころ２２群は、軸方向の一方が外筒４に保持され、他方が装着孔２８ａに保持されることから、その全長範囲が常に保持されていることになり、針状ころ２２の外側への脱落が防止されるとともに、スムーズな嵌合が行われるとされている。図７に示すように、クランクピン３０を矢印Y２方向に打ち込んで、クランクピン３０によって内筒２を針状ころ軸受B０から抜き出させながらクランクピン３０を針状ころ２２群に嵌合する。このとき、クランクピン３０の外周部が針状ころ２２群の内周部を圧接しながら摺動する。このとき、内筒２の抜き出しの途中において、針状ころ２２群は、軸方向の一方が内筒２に保持され、他方がクランクピン３０に保持されることから、その全長範囲が常に保持されていることになり、針状ころ２２の内側への脱落が防止されるとともに、スムーズな嵌合が行われるとされている。
【先行技術文献】
【特許文献】
【０００５】
【特許文献１】実登２５２３１８３号公報
【発明の概要】
【発明が解決しようとする課題】
【０００６】
しかしながら、先行技術のころ脱落防止具には、以下の点に課題がある。すなわち、引用文献１では、内筒２を抜き出しつつ組み立てるため、組み立てる際に、針状ころ２２は落下し易く、ころ軸受をハウジングの装着孔から取り外す際にも、ころが落下し易い。本発明は、上記の現象を考慮し、ハウジングの装着孔へころ軸受を組み立てる際や、ハウジングの装着孔からころ軸受を取り外す際にも、ころが落下し難いころ軸受を提供することを目的としている。
【課題を解決するための手段】
【０００７】
上記目的を達成するために、本発明のころ軸受は、外輪と複数の転動体と内輪としての円筒を有し、前記円筒は片端面側にフランジを有することを特徴とする。
【発明の効果】
【０００８】
本発明により、ハウジングの装着孔へころ軸受を組み立てる際や、軸をころ軸受から取り外す際や、ハウジングの装着孔からころ軸受を取り外す際にも、ころが落下し難いころ軸受を提供することが出来る。
【図面の簡単な説明】
【０００９】
【図１】本発明に係るころ軸受の構造の一例の断面図である。
【図２】図１のころ軸受をハウジングに組み込む途中の断面図である。
【図３】図１のころ軸受をハウジングに組み込んだ断面図である。
【図４】軸を図１のころ軸受に組み込んだ断面図である。
【図５】内輪が無いタイプのころ軸受の断面図である。
【図６】従来のころ軸受をハウジングに組み込む途中の断面図である。
【図７】従来のころ軸受をハウジングに組み込み、内筒を外している途中の断面図である。
【発明を実施するための形態】
【００１０】
本発明に係るころ軸受の実施の形態を、図面を参照しながら説明する。図１は、本発明に係るころ軸受の一実施形態である、総ころ形の針状ころ軸受の断面図である。前記総ころ形の針状ころ軸受は、外輪１と複数の転動体であるころ２３と、内輪としての円筒３を有し、前記円筒は片端面側にフランジを有する。前記円筒のフランジの外周面の外径は、ハウジングに干渉しないように、外輪の外径より小さくなっていることが好ましい。また、前記円筒３の軸方向の幅寸法は、ころ２３が落下し難いように、ころ２３の軸方向の長さの半分以上の広さであることが好ましい。また、円筒３のころ２３と接触するころ接触部３ａは、ころ接触部３ａの摩耗を抑制するため、表面硬さをＨＲＣ５４以上とすることが好ましく、ＨＲＣ５８以上にすることがより好ましい。
【００１１】
このような、ころ軸受をハウジングに組み込む際には、図２のように円筒３のフランジ端面３ｂ側から、ハウジング６の装着孔６ａに組み込みを開始する。その際、円筒３がころ軸受から外れないように注意する。そして、図３のように、ハウジング６の装着孔６ａが貫通装着孔でない場合は、円筒３のフランジの端面３ｂとハウジング６の装着孔の奥６ａ１との間には、接触摩耗を避けるため軸方向に隙間があるようにする。但し、この隙間は、円筒３が装着孔の奥６ａ１に接触しても、ころ２３が落下しないような寸法、例えばころ軸受の軸方向の幅寸法の半分以下にすることが好ましい。つぎに、図４のように、軸７を円筒３の内周面に押し込む。軸７を円筒３の内周面に押し込む際には、円筒３は、装着孔の奥６ａ１の方向に押され、円筒のフランジ端面３ｂが装着孔の奥６ａ１に接触するが、軸７を円筒３の内周面に押し込んだ後、軸７を装着孔の奥６ａ１と反対方向に戻すことにより、円筒３は、図４のような位置に戻る。また、ハウジング６の装着孔が貫通している場合は、組み込みと反対側からフランジ端面３ｂを軸方向から押さえつつ軸７を組み込むことが好ましい。また、上記ではころ軸受１をハウジング６に組み込んでから、軸７を組み込んでいるが、軸７にころ軸受１を組み込んでからハウジング６に組み込んでも良い。このように、ころ軸受１を組み込むことによって、ころ２３が組み込み時に落下することを抑制できる。また、軸７やころ軸受１を交換するため、軸７やころ軸受１を取り外す際、フランジがある為、円筒３がころ軸受から外れ難いので、ころ２３が落下することを抑制できる。
【００１２】
また、上述の実施形態は本発明の一例を示したものであって、本発明はこれらの実施形態に限定されるものではない。本発明の主旨を外れない限り、他の実施形態にも適用出来る。
【符号の説明】
【００１３】
１           ころ軸受
２           内筒
３           円筒
３ａ         ころ接触部
３ｂ         フランジの端面
４           外筒
４ｂ         軸方向一端面
５           外輪
６           ハウジング  
６ａ、２８ａ 装着孔
６ａ１       装着孔の奥
７           軸
２０         保持器
２２         針状ころ
２３         ころ
２８         コンロッド
２８ｂ       側面
３０         クランクピン
Ａ１         ころ脱落防止具
Ｂ０          針状ころ軸受
【図１】
2013076420.tif 000003
【図２】
2013076420.tif 000004
【図３】
2013076420.tif 000005
【図４】
2013076420.tif 000006
【図５】
2013076420.tif 000007
【図６】
2013076420.tif 000008
【図７】
2013076420.tif 000009